Podtech/llm-jp-corpus-v4-ja_patent huggingface dataset:
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
発作活動を示す異常な運動徴候について患者を監視するための装置を作動するための方法であって、前記方法は、
筋電図信号に含まれる複数のピークを検出するステップと、
前記複数のピークから、複数のピークからなる複数のテストサブセット群を構築するステップと、
複数のピークからなる１つまたは複数の適格性認定された群を決定するために、前記複数のピークからなる複数のテストサブセット群のうちの複数のピークからなる任意のサブセット群が、１つまたは複数の集約適格性認定閾値に適合するかどうかを決定するステップと、
前記複数のピークからなる１つまたは複数の適格性認定された群の分析に基づいて発作活動が患者に存在しているかを決定するステップと、
を含む方法。
【請求項２】
前記発作活動は、間代相発作活動または非てんかん性心因性発作活動のいずれかである、請求項１に記載の方法。
【請求項３】
複数の群が、前記複数のピークからなる１つまたは複数の適格性認定された群中において特定されるときに適格性認定されたピークの活動の全体レベルを決定するために、前記複数のピークからなる１つまたは複数の適格性認定された群中の２つ以上の群を組み合わせることをさらに含む、請求項１に記載の方法。
【請求項４】
適格性認定されたピークの活動の全体レベルを決定することは、前記複数のピークからなる１つまたは複数の適格性認定された群の少なくとも１つのメンバーである適格性認定されたピークの数を決定することを含む、請求項３に記載の方法。
【請求項５】
前記複数のピークからなる複数のテストサブセット群は、前記複数のピークから作成されるタイムスタンプ付きピークのリストからの連続するピークの組み合わせを含む請求項１に記載の方法。
【請求項６】
前記複数のピークからなる複数のテストサブセット群は、最小ピーク数よりも大きい複数のピークからなる群を含む、請求項１に記載の方法。
【請求項７】
前記最小ピーク数は、４個のピーク〜８個のピークである、請求項６に記載の方法。
【請求項８】
前記複数のピークからなる複数のテストサブセット群は、前記複数のピークの中から非連続ピークを含む１つまたは複数の群を含む、請求項１に記載の方法。
【請求項９】
異常な運動徴候を検出するための装置であって、前記装置は、
運動活動を示す筋電図信号を提供するように構成された１つまたは複数の筋電図電極と、
プロセッサであって、
前記筋電図信号を受信して、同筋電図信号に含まれる複数のピークを検出するために同筋電図信号を処理し、
前記複数のピークから、複数のピークからなる複数のテストサブセット群を構築し、
複数のピークからなる１つまたは複数の適格性認定された群を決定するために、前記複数のピークからなる複数のテストサブセット群のうちの、１つまたは複数の集約適格性認定閾値に適合する群メンバーを特定し、そして
前記複数のピークからなる１つまたは複数の適格性認定された群の分析に基づいて発作活動が存在しているかを決定する、ように構成されたプロセッサと、
を含む装置。
【請求項１０】
前記プロセッサは、前記発作活動が特定されたときに介護者にアラームを送信するようにさらに構成されている、請求項９に記載の装置。
【請求項１１】
前記発作活動は、間代相発作活動または非てんかん性心因性発作活動のいずれかである、請求項９に記載の装置。
【請求項１２】
前記複数のピークからなる複数のテストサブセット群は、前記複数のピーク中に含まれる非連続ピークを含む１つまたは複数の群を含む、請求項９に記載の装置。
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
流体リザーバを有するドッキング及び充電ステーションに連結される歯の洗浄用の手持ち式流体液滴機器のための自動充填機構であって、前記自動充填機構は、
流体を保持するためのチャンバであって、当該チャンバ内への開放可能なドアと、前記ドアを貫通して設けられた２つの雌ポートとを有する、チャンバを備え、
第１の雌ポートは流体を受け入れるための流入口であり、
第２の雌ポートは、液体及び空気出口インターフェースである、自動充填機構において、
前記チャンバの前記ドアは、当該ドアの外周部の周りにＯリングを有し、前記第２の雌ポートは、当該第２の雌ポートに取り付けられたシュノーケルシステムを有し、前記シュノーケルシステムは、シュノーケルチューブの第１の端部で前記第２の雌ポートに取り付けられた当該シュノーケルチューブを備え、前記シュノーケルチューブの第２の端部は、開放されていて、前記チャンバの上部にあり、前記第２の雌ポート及び前記シュノーケルシステムは、流体が前記流体リザーバから前記第１の雌ポートを通って前記チャンバに入るときに、空気及び余剰の流体を前記チャンバから外に出すために使用されることを特徴とする、自動充填機構。
【請求項２】
前記第１の雌ポート及び前記第２の雌ポートをそれぞれ取り囲む可撓性の封止部分を備える、請求項１に記載の自動充填機構。
【請求項３】
前記第１の雌ポート又は前記第２の雌ポートに連結された少なくとも１つの逆止弁を備える、請求項１に記載の自動充填機構。
【請求項４】
前記第２の雌ポートに接続された安全機構を備える、請求項３に記載の自動充填機構。
【請求項５】
前記チャンバ内での前記シュノーケルシステムの適切な位置決めを確実にすることを助けるために、前記シュノーケルチューブの前記第２の端部に硬質の先端部を更に含む、請求項１に記載の自動充填機構。
【請求項６】
前記チャンバは非対称形である、請求項１に記載の自動充填機構。
【請求項７】
前記シュノーケルチューブの少なくとも一部分に、内部バネを更に含む、請求項１に記載の自動充填機構。
【請求項８】
前記シュノーケルチューブの前記第２の端部の前記硬質の先端部は、Ｖ字カット縁部を有する、請求項５に記載の自動充填機構。
【請求項９】
前記シュノーケルチューブの前記第２の端部の前記硬質の先端部は、貫通して切り抜かれた少なくとも１つの孔を有する、請求項５に記載の自動充填機構。
【請求項１０】
前記シュノーケルチューブの前記第２の端部に、通気性の膜を更に備える、請求項１に記載の自動充填機構。
【請求項１１】
請求項１乃至１０の何れか一項に記載の自動充填機構を備える、流体リザーバを有するドッキング及び充電ステーションに連結される、歯の洗浄用の手持ち式流体液滴機器。
【請求項１２】
ポンプと、流体リザーバと、第１及び第２の雄ポートと、歯の洗浄用の手持ち式機器を受け入れるためのクレイドル機構とを有するドッキング及び充電ステーションから、前記手持ち式機器を充填するための方法であって、前記方法は、
前記手持ち式機器を、前記ドッキング及び充電ステーションの前記クレイドル機構内にドッキングさせるステップと、
前記手持ち式機器のチャンバのドアにある２つの雌ポートを、前記ドッキング及び充電ステーションの２つのそれぞれの前記雄ポートに係合させるステップと、
流体を、前記ドッキング及び充電ステーションの前記流体リザーバから、結合された雄流入口ポートと雌流入口ポートとを通して、前記手持ち式機器の前記チャンバ内に圧送するステップと、
前記手持ち式機器の前記チャンバから、結合された雄液体及び空気出口インターフェースポートと雌液体及び空気出口インターフェースポートとを通して、空気及び如何なる余剰の流体も排出するステップと
を備え、
前記チャンバからの空気の完全な排出を確実にし、前記チャンバへの液体の完全な充填を可能とするために、前記手持ち式機器の前記雌液体及び空気出口インターフェースポートに接続されたシュノーケルチューブが、前記手持ち式機器の前記チャンバに挿入される、方法。
【請求項１３】
弁が開かれたときだけ液体が前記雄流入口ポートと前記雌流入口ポートとを通って流れることを許容する当該弁が設けられる、請求項１２に記載の方法。
【請求項１４】
前記クレイドル機構は、前記手持ち式機器の充填前に、前記ドッキング及び充電ステーションの前記雄ポートと、前記手持ち式機器のそれぞれの前記雌ポートとの整列を確実にする、請求項１２に記載の方法。
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
長手方向軸、第１のアパーチャを有する第１の端部、前記第１の端部の反対側の、第２のアパーチャを含む第２の端部、及び前記第１の端部と前記第２の端部との間に配設された、長さＬを持つバイパス、を有する本体と、
前記第１の端部に近接して前記本体内に摺動可能に配設された第１のプラグと、
前記第１のプラグと前記第２の端部との間で前記本体内に摺動可能に配設された第２のプラグとを備え、
前記第１のプラグ及び前記第２のプラグが、それらのプラグ間で前記本体内に配設された第１のコンパートメントの両端部を画定し、
第２のコンパートメントが、前記第２のプラグと前記第２の端部との間で前記本体内に配設され、
前記第２のプラグが、
前記第１のプラグに面したトップ面と、
前記第２の端部に面した底面と、
前記トップ面と前記底面との間に延びる側壁であって、前記トップ面に近接した第１の縁部を有する第１の周方向封止部及び前記底面に近接した第２の縁部を有する第２の周方向封止部を含む側壁と、
前記第２のプラグを通って延びる複数の離間した一次導管であって、各々が前記側壁の別個の第１の開口部から前記底面の第２の開口部へと延びる一次導管と、を含み、
前記第１の開口部が、前記第１の周方向封止部と前記第２の周方向封止部との間に配設され、
前記一次導管のうちの少なくとも１つが、前記第２の開口部からの液体流を、前記長手方向軸に平行でない線に沿って導き、
距離Ｄが前記第１の縁部から前記第２の縁部まで長手方向に延び、
距離Ｅが前記第１の縁部から前記第１の縁部に最も近い前記第１の開口部まで長手方向に延び、
Ｄ≧Ｌ及びＥ＜Ｌである、容器。
【請求項２】
前記一次導管のうちの少なくとも１つが、その一次導管の第２の開口部からの液体流を、前記長手方向軸に対して合成角を形成する線に沿って導き、前記一次導管のうちの２つ以上が各々、各自の第２の開口部からの液体流を、前記長手方向軸に対して合成角を形成する線に沿って導く、請求項１に記載の容器。
【請求項３】
前記第２のコンパートメントが凍結乾燥試薬を含み、前記凍結乾燥試薬が所定量の薬学的に活性な化合物を含む、請求項１又は２に記載の容器。
【請求項４】
前記容器が前記第２のアパーチャに近接した開閉式液密封止部を含み、前記液密封止部が閉構成で前記第２のアパーチャに対する流体の流入又は流出を防ぐ、請求項１〜３のいずれか一項に記載の容器。
【請求項５】
前記第２の端部が、ニードル又はマイクロニードルデバイスを前記容器に連結するようになっている連結構造を含む、請求項４に記載の容器。
【請求項６】
前記連結構造が、前記容器からの流体の流出を可能にする開位置と、前記容器からの流体の流出を可能にしない閉位置とを有する弁を含む、請求項５に記載の容器。
【請求項７】
前記第１のコンパートメントが、第２の構成成分と混合される所定量の第１の構成成分を収容し、周囲温度において、前記第１の構成成分がガス、液体、又はゲル剤を含み、前記第２のコンパートメントが、前記第１の構成成分と混合される所定量の第２の構成成分を収容し、周囲温度において、前記第２の構成成分がガス、液体、ゲル剤、実質的に乾燥した固体、又はペーストを含む、請求項１〜６のいずれか一項に記載の容器。
【請求項８】
組成物の第１の構成成分と第２の構成成分とを混合する方法であって、
請求項７に記載の容器の前記第１のコンパートメント内に配設された前記第１の構成成分を、前記容器の前記第２のコンパートメント内に配設された前記第２の構成成分に接触させることを含み、
前記第１の構成成分が流体を含み、
前記第２の構成成分が流体又は固体を含み、
前記第１の構成成分を前記第２の構成成分に接触させることが、少なくとも１つの第１の開口部が前記バイパス、前記第１のコンパートメント、及び前記第２のコンパートメントと流体連通するまで、前記第１のプラグを前記第２の端部側へ付勢することを含み、
前記第１のプラグを前記第２の端部側へ付勢することが、前記第１の構成成分の少なくとも一部を前記第１のコンパートメントから前記第２のコンパートメントの中へと付勢することを含む、方法。
【請求項９】
組成物の第１の構成成分と第２の構成成分とを混合し、前記組成物を分配する方法であって、
請求項７に記載の容器の前記第１のコンパートメント内に配設された前記第１の構成成分を、前記容器の前記第２のコンパートメント内に配設された前記第２の構成成分に接触させることを含み、
前記第１の構成成分が流体を含み、
前記第２の構成成分が流体又は固体を含み、
前記第１の構成成分を前記第２の構成成分に接触させることが、少なくとも１つの第１の開口部が前記バイパス、前記第１のコンパートメント、及び前記第２のコンパートメントと流体連通するまで、前記第１のプラグを前記第２の端部側へ付勢することを含み、
前記第１のプラグを前記第２の端部側へ付勢することが、所定量の前記第１の構成成分を前記第１のコンパートメントから前記第２のコンパートメントへ移送して前記組成物を形成することと、
前記容器の前記第２の端部を閉状態から開状態へ転換することと、を含み、
前記所定量の前記第１の構成成分が前記第２のコンパートメントへ移送された後、前記第１のプラグを前記第２の端部側へ付勢することが、前記第２のプラグを前記第２の端部側へ付勢することを更に含み、
前記第２のプラグを前記第２の端部側へ付勢することが、前記組成物の少なくとも一部を本体から前記第２のアパーチャを介して分配することを含む方法。
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
複数の異なる外科用器具のための汎用ＦＯＲＳインサートであって、前記汎用ＦＯＲＳインサートは、
追跡セグメントを含むＦＯＲＳセンサであって、
前記追跡セグメントの再構築された形状を示す感知データを生成するように動作可能である、ＦＯＲＳセンサと、
前記複数の異なる外科用器具のそれぞれに接続させることができる汎用インサート受入れ部であって、
開いた端部及び閉じた端部を有する管腔を含む、汎用インサート受入れ部と、
前記ＦＯＲＳセンサの前記追跡セグメントの少なくとも一部分を恒久的に包囲する保護スリーブであって、
前記保護スリーブによって恒久的に包囲された前記追跡セグメントの前記少なくとも一部分が、前記汎用インサート受入れ部の前記管腔の前記開いた端部に挿入可能であり、且つ当該開いた端部から抜去可能である、保護スリーブと、
を備える、汎用ＦＯＲＳインサート。
【請求項２】
前記保護スリーブによって恒久的に包囲された前記追跡セグメントの前記少なくとも一部分が、前記複数の異なる外科用器具の追加の外科用器具としての役割を果たす、請求項１に記載の汎用ＦＯＲＳインサート。
【請求項３】
前記保護スリーブによって恒久的に包囲された前記追跡セグメントの前記少なくとも一部分が、前記外科用器具のうち１つの外科用器具に接続された前記汎用インサート受入れ部の前記管腔に挿入されると、前記ＦＯＲＳセンサが、前記追跡セグメントの前記再構築された形状に応答して、前記外科用器具のうち前記１つの外科用器具の器具タイプを識別するように更に動作可能である、請求項１に記載の汎用ＦＯＲＳインサート。
【請求項４】
ＦＯＲＳセンサに接続されたランチを更に備え、
前記ＦＯＲＳセンサが、前記ランチに対する前記追跡セグメントの前記再構築された形状を示す前記感知データを生成するように動作可能である、請求項１に記載の汎用ＦＯＲＳインサート。
【請求項５】
前記複数の異なる外科用器具が、同じ器具タイプの外科用器具の同じ型、及び同じ器具タイプの外科用器具の異なる型、のうち少なくとも１つを含む、請求項１に記載の汎用ＦＯＲＳインサート。
【請求項６】
前記複数の異なる外科用器具が、少なくとも２つの異なる器具タイプの外科用器具を含む、請求項１に記載の汎用ＦＯＲＳインサート。
【請求項７】
複数の異なる外科用器具と、
汎用ＦＯＲＳインサートとを備える、外科用アセンブリであって、
前記外科用器具のそれぞれが、当該外科用器具に接続される汎用インサート受入れ部を持ち、
前記汎用インサート受入れ部のそれぞれが、開いた端部及び閉じた端部を有する管腔を含み、
前記汎用ＦＯＲＳインサートが、
追跡セグメントを含むＦＯＲＳセンサであって、
前記追跡セグメントの再構築された形状を示す感知データを生成するように動作可能である、ＦＯＲＳセンサと、
前記ＦＯＲＳセンサの前記追跡セグメントの少なくとも一部分を恒久的に包囲する保護スリーブであって、
前記保護スリーブによって恒久的に包囲された前記追跡セグメントの前記少なくとも一部分が、前記汎用インサート受入れ部のそれぞれの前記管腔の前記開いた端部に挿入可能であり、且つ当該開いた端部から抜去可能である、保護スリーブとを備える、外科用アセンブリ。
【請求項８】
前記保護スリーブによって恒久的に包囲された前記追跡セグメントの前記少なくとも一部分が、前記複数の異なる外科用器具の追加の外科用器具としての役割を果たす、請求項７に記載の外科用アセンブリ。
【請求項９】
前記保護スリーブによって恒久的に包囲された前記追跡セグメントの前記少なくとも一部分が、前記外科用器具のうち１つの外科用器具に接続された前記汎用インサート受入れ部のうちの１つの前記管腔の前記開いた端部に挿入されると、前記ＦＯＲＳセンサが、前記追跡セグメントの前記再構築された形状に応答して、前記外科用器具のうち前記１つの外科用器具の器具タイプを識別するように更に動作可能である、請求項７に記載の外科用アセンブリ。
【請求項１０】
ＦＯＲＳセンサに接続されたランチを更に備え、
前記ＦＯＲＳセンサが、前記ランチに対する前記追跡セグメントの前記再構築された形状を示す前記感知データを生成するように動作可能である、請求項７に記載の外科用アセンブリ。
【請求項１１】
前記複数の異なる外科用器具が、同じ器具タイプの外科用器具の同じ型、及び同じ器具タイプの外科用器具の異なる型、のうち少なくとも１つを含む、請求項７に記載の外科用アセンブリ。
【請求項１２】
前記複数の異なる外科用器具が、少なくとも２つの異なる器具タイプの外科用器具を含む、請求項７に記載の外科用アセンブリ。
【請求項１３】
前記複数の異なる外科用器具のうち第１の外科用器具が、前記第１の外科用器具上に後付けされた汎用インサート受入れ部を含む、請求項７に記載の外科用アセンブリ。
【請求項１４】
前記複数の異なる外科用器具のうち第１の外科用器具が、前記第１の外科用器具内に統合された汎用インサート受入れ部を含む、請求項７に記載の外科用アセンブリ。
【請求項１５】
前記複数の異なる外科用器具のうち第１の外科用器具が、第１の外科用器具に取外し可能に取り付けられた汎用インサート受入れ部を含む、請求項７に記載の外科用アセンブリ。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
駆動プレートの第１端部におけるピストン係合手段と、駆動プレートの第２端部における径方向鋸歯を備えた加工済みフェースギヤとを有する、駆動プレートと、
ラチェット駆動器の第１端部における対応する径方向鋸歯を備えた加工済みフェースギヤと、ラチェット駆動器の第２端部における螺条付き締結具係合手段とを有する、ラチェット駆動器とを含む、締結具を締め又は緩めるトルク工具においてトルクを伝達する装置。
【請求項２】
前記トルク工具の前記駆動プレートと側部プレートとの間に形成された波形スプリングを含む、請求項１に記載の装置。
【請求項３】
前記トルク工具の前進ストロークの間において、前記駆動プレート及び前記ラチェット駆動器の対応する夫々の径方向鋸歯は、前記波形スプリングからの荷重下で噛合し、前記螺条付き締結具を締め又は緩める、請求項２に記載の装置。
【請求項４】
前記トルク工具の後退ストロークの間において、前記駆動プレート及び前記ラチェット駆動器の対応する夫々の径方向鋸歯は、噛合解除されると共に、相互を通過して滑動する、請求項２に記載の装置。
【請求項５】
前記駆動プレートは、前記駆動プレートの前記第１端部から前記駆動プレートの前記第２端部までテーパ付けされる、請求項１に記載の装置。
【請求項６】
リンク駆動手段内に、且つ、該リンク駆動手段の第１の側部プレートと第２の側部プレート間に形成された、請求項１〜５のいずれか一項に記載の装置を有する、締結具を締め又は緩めるデバイス。
【請求項７】
前記リンク駆動手段の各側部プレートは、前記螺条付き締結具係合手段の近傍の第２端部における前記リンク駆動手段の幅が、ピストン係合手段の近傍の第１端部における前記リンク駆動手段の幅よりも実質的に薄寸であるように、前記第１端部から前記第２端部までテーパ付けされる、請求項６に記載のデバイス。
【手続補正書】
【提出日】令和1年6月10日(2019.6.10)
【手続補正１】
【補正対象書類名】特許請求の範囲
【補正対象項目名】全文
【補正方法】変更
【補正の内容】
【特許請求の範囲】
【請求項１】
油水分離器であって、
第１の油分離チャンバへ供給する第１の分配岐路と第２の油分離チャンバへ供給する第２の分配岐路とを有する油水マニホルドへ供給する油水主管と、
前記油分離チャンバがそれぞれコンポーネントとして、
（ｉ）側壁を介して水平に接合されて、流体を収容する略封止筐体を画定する上部および下部と、
（ｉｉ）前記チャンバの下部に位置し、前記油水主管からの分配岐路を受け入れて、前記油水主管から前記チャンバへの油水流路を画定する油水入口と、
（ｉｉｉ）前記チャンバの下部に位置し、前記チャンバの内部から外部への水流路を画定する水出口と、
（ｉｖ）前記チャンバの上部に位置し、前記チャンバの内部から外部への油流路を画定する油出口と、
（ｖ）前記チャンバの上部に位置し、前記チャンバの外部から内部への空気流路を画定する空気入口と、
（ｖｉ）前記油水入口、前記水出口、前記油出口及び前記空気入口と流体連通し、その流路を調節する弁を備える弁システムであって、
前記油水入口の油水流路と前記油出口の油流路を開放し、前記空気入口の空気流路と前記水出口の水流路を閉鎖する第１の弁設定（ａ）と、
前記油水入口の油水流路と前記油出口の油流路を閉鎖し、前記空気入口の空気流路と前記水出口の水流路を開放する第２の弁設定（ｂ）と、を有し、
前記第１および第２の油分離チャンバ間で反対の弁設定（ａ）および（ｂ）を互い違いに設定する弁制御システムと、
を備える油水分離器。
【請求項２】
前記油水流路が油水入口弁によって調節され、前記油水主管からの混合密度流体流を、開放時に前記チャンバ内へ導き、閉鎖時に逆流を防止し、
前記水流路が水出口弁によって調節され、水などの油よりも重い流体流を、開放時に前記チャンバ外へ導き、閉鎖時に逆流を防止し、
前記油流路が油出口弁によって調節され、油などの水より軽い流体流を、開放時に前記チャンバ外へ導き、閉鎖時に逆流を防止し、
前記空気流路が空気入口弁によって調節され、空気流を、開放時に前記チャンバ内へ導き、閉鎖時に逆流を防止し、
前記第１の弁設定（ａ）では、前記油水入口弁と前記油出口弁を開放し、前記空気入口弁と前記水出口弁を閉鎖し、前記第２の弁設定（ｂ）では、前記油水入口弁と前記油出口弁を閉鎖し、前記空気入口弁と前記水出口弁を開放する、
請求項１に記載の油水分離器。
【請求項３】
前記弁制御システムが１つ以上の弁アクチュエータと流体流を備えて、前記弁を開閉させる、請求項１に記載の油水分離器。
【請求項４】
前記１つ以上の弁アクチュエータが、前記第１および第２のチャンバ内の流体状態を感知する１つ以上のセンサと通信し、前記流体状態に応答して反対の弁設定（ａ）および（ｂ）を互い違いに設定する１つ以上のアクチュエータ制御弁を含む、請求項３に記載の油水分離器。
【請求項５】
前記弁制御システムが１つ以上の自動調節逆止弁と、切替回路と前記第１および第２のチャンバ内の流体状態を感知するセンサと連通する１つ以上の弁アクチュエータとを備え、前記第１および第２の油分離チャンバ間で反対の弁設定（ａ）および（ｂ）を互い違いに設定する、請求項１に記載の油水分離器。
【請求項６】
部分真空を生じさせるために密封容積からガスを除去するポンプをさらに備える、請求項１に記載の油水分離器。
【請求項７】
前記油水入口への前記油水流路が低乱流流路である、請求項１に記載の油水分離器。
【請求項８】
前記チャンバ側壁が上方向に先細になり、垂直方向に漸次狭くなる油回収柱を画定する、請求項１に記載の油水分離器。
【請求項９】
前記第１および第２の油分離チャンバが同一のハウジングに含まれる、請求項１に記載の油水分離器。
【請求項１０】
１つ以上の追加の油分離チャンバへ供給する１つ以上の追加の分配岐路をさらに備え、前記弁制御システムが前記第１および第２の油分離チャンバと前記１つ以上の追加の油分離チャンバ間で反対の弁設定（ａ）および（ｂ）を互い違いに設定することができる、請求項１に記載の油水分離器。
【請求項１１】
前記油水主管が可撓導管である、請求項１に記載の油水分離器。
【請求項１２】
前記油水主管が、スキマーヘッドと浚渫ノズルから選択されるアタッチメントと流体連通する、請求項１に記載の油水分離器。
【請求項１３】
たとえば水から油など、異なる密度の流体を分離する方法であって、
流体混合物を請求項１に記載の油水分離器の前記油水主管に供給することと、
開放油流路を有する前記チャンバの前記油出口に部分真空をかけて流体を引き出すことと、
前記第１および第２の油分離チャンバ間で弁設定（ａ）および（ｂ）を互い違いに設定することと、
を備える方法。
【請求項１４】
迅速配備および油流出封じ込め用のキットであって、請求項１に記載の油水分離器と、真空ポンプ、前記油水主管に装着するスキマーヘッド、浚渫ノズル、前記スキマーヘッドに装着して前記スキマーヘッドに生成物を送る牽引式ブームシステム、油回収タンクから成る群から選択されるコンポーネントのうちの１つ以上と、を備えるキット。
【手続補正２】
【補正対象書類名】明細書
【補正対象項目名】０１４４
【補正方法】変更
【補正の内容】
【０１４４】
一般的に、図５Ａ〜５Ｄは第１の処理サイクルにおける例示の油水分離器の異なる図面であり、図５Ｅ〜５Ｈは反対の弁設定に反転させる第２の処理サイクルにおける油水分離器の透視図である。なお、油水分離器は、ここでは例示のためにチャンバ「Ｃ１」およびチャンバ「Ｃ２」とそれぞれ称する第１の油分離チャンバ５５と第２の油分離チャンバ５６間で反対の弁設定を設定する。ここでは、逆であるが相乗的な分離モードで並行に動作する２つの油分離チャンバＣ１およびＣ２が明らかに分かる。なお、低乱流流路は、油水主管から油水マニホルドを通じて分配岐路と油分離チャンバまで遮られない。
【手続補正３】
【補正対象書類名】図面
【補正対象項目名】図５
【補正方法】変更
【補正の内容】
【図５】
2018517560.tif 000001
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
（ｉ）造粒機内で液体を用いて粒子担体物質を含む凝集体を形成する工程、
（ｉｉ）造粒機内でコーティング混合物を凝集体に添加することにより、凝集体を、微粒子状の硫化可能な銅化合物及び微粒子状の焼成された再水和可能なアルミナを含むコーティング混合物粉末でコーティングして、コーティングされている凝集体を形成する工程、並びに
（ｉｉｉ）コーティングされている凝集体を乾燥させて、乾燥収着剤前駆体を形成する工程
を含む、収着剤前駆体を調製するための方法。
【請求項２】
担体物質が、アルミナ、金属アルミン酸塩、炭化ケイ素、シリカ、チタニア、ジルコニア、酸化亜鉛、アルミノケイ酸塩、ゼオライト、金属炭酸塩、炭素、又はそれらの混合物から成る群より選択される、請求項１に記載の方法。
【請求項３】
担体物質が、微粒子状の焼成された再水和可能なアルミナである、請求項１又は２に記載の方法。
【請求項４】
焼成された再水和可能なアルミナが、焼成された非晶質アルミナ又はロー−アルミナ、カイ−アルミナ及び擬ガンマ−アルミナのうちの一若しくは複数より選択される遷移アルミナを含む、請求項１から３のいずれか一項に記載の方法。
【請求項５】
担体物質が、１〜１００μｍ、好ましくは１〜２０μｍ、特に１〜１０μｍの範囲のＤ５０粒子サイズを有する粉末の形態であり、凝集体が１〜１５ｍｍの範囲の直径を有する、請求項１から４のいずれか一項に記載の方法。
【請求項６】
微粒子状の硫化可能な銅化合物が、銅酸化物、塩基性炭酸銅、並びに塩基性炭酸銅及び塩基性炭酸亜鉛を含む沈殿物質より選択される一又は複数の化合物である、請求項１から５のいずれか一項に記載の方法。
【請求項７】
微粒子状の硫化可能な銅化合物が、５〜１００μｍの範囲の平均粒子サイズ、［Ｄ５０］を有する粉末の形態である、請求項１から６のいずれか一項に記載の方法。
【請求項８】
乾燥した収着剤前駆体の銅含有量が、０．５〜３５重量％、好ましくは０．５〜３０重量％、より好ましくは５〜２０重量％の範囲である（乾燥した物質に存在する銅として表される）、請求項１から７のいずれか一項に記載の方法。
【請求項９】
コーティング混合物が、微粒子状の硫化可能な銅化合物及び微粒子状の焼成された再水和可能なアルミナから成る、請求項１から８のいずれか一項に記載の方法。
【請求項１０】
コーティングされている凝集体が、乾燥前に０．５〜８時間、好ましくは０．５〜６時間、より好ましくは０．５〜２時間経時され、コーティングされている凝集体が７０〜１５０℃で乾燥される、請求項１から９のいずれか一項に記載の方法。
【請求項１１】
請求項１から１０のいずれか一項に従って収着剤前駆体を調製すること及び乾燥した収着剤前駆体に硫化工程を施して、硫化可能な銅化合物を硫化銅に変換させることを含む、収着剤を調製するための方法。
【請求項１２】
銅化合物を硫化水素、アルカリ金属硫化物、硫化アンモニウム、単体の硫黄又はポリスルフィドより選択される硫黄化合物と反応させることにより、硫化工程が行われる、請求項１１に記載の方法。
【請求項１３】
不活性ガス中０．１から５体積％の範囲の濃度の硫化水素を使用して、硫化工程が行われる、請求項１１又は１２に記載の方法。
【請求項１４】
硫化工程が、硫化剤が通過する硫化容器中、乾燥した収着剤前駆体組成物上、ｅｘ−ｓｉｔｕで行われるか、又は、乾燥した収着剤前駆体組成物が導入され、重金属を吸収するのに使用される容器中で硫化が行われる場合に、ｉｎ  ｓｉｔｕで行われる、請求項１１から１３のいずれか一項に記載の方法。
【請求項１５】
流体流を請求項１１から１４のいずれか一項に記載の方法に従って調製された収着剤と接触させることを含む、流体流から重金属を除去するための方法。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
被験体（１０）の脳の少なくとも２つの部位を撮像する検出装置（１２）であって、脳の第１の部位が脳の第２の部位とは異なり、検出装置（１２）が、
−ホルダ（１２１）であって、
−被験体（１０）の頭蓋骨の一部の上に固定、特にセメント固定される、フレーム（１４）であり、超音波に対して透過である内部分（１８）の範囲を定めるフレーム（１４）と、
を含むホルダ（１２１）と、
−着脱式の撮像デバイス（１２２）であって、
−内部スペース（２８）の範囲を定めるプラットフォーム（１６）であって、内部スペース（２８）が内部分（１８）に面する、プラットフォーム（１６）と、
−ホルダ（１２１）にプラットフォーム（１６）を一時的に固定及び係止するように適合された固定要素（３０）と、
−１つ以上のトランスデューサアレイを含む超音波プローブ（３２）と、
−超音波プローブ（３２）を保持する移動ステージ（３４）であって、移動ステージ（３４）が、内部スペース（２８）内で超音波プローブ（３２）を移動させるように適合され、第１の位置であって、脳の第１の部位が超音波プローブ（３２）によって撮像される、第１の位置と第２の位置であって、脳の第２の部位が超音波プローブ（３２）によって撮像される、第２の位置との間で移動するように更に適合される、移動ステージ（３４）と、
を含む、着脱式の撮像デバイス（１２２）と、
を含む、検出装置（１２）。
【請求項２】
ホルダ（１２１）が、超音波に対して透過である窓（２０）を更に含み、窓（２０）が、内部分（１８）に対応するようにフレーム（１４）に挿入される、請求項１に記載の検出装置。
【請求項３】
固定要素（３０）及びフレーム（１４）が磁気を帯びる、請求項１又は２に記載の検出装置。
【請求項４】
フレーム（１４）が第１の形状を有した要素（２２、２４、２６）を更に含み、固定要素（３０）が第２の形状を有し、第１の形状及び第２の形状が相補的である、請求項１〜３のうちのいずれかに記載の検出装置。
【請求項５】
各々のトランスデューサアレイが、直線トランスデューサアレイである、請求項１〜４のうちのいずれかに記載の検出装置。
【請求項６】
移動ステージ（３４）が可動スクリュー（３６）を含む、請求項１〜５のうちのいずれかに記載の検出装置。
【請求項７】
移動ステージ（３４）が、スクリュー（３６）を移動させるように適合されたモータ（３８）及び命令によりモータに指令するように適合されたコントローラを更に含む、請求項６に記載の検出装置。
【請求項８】
命令が、
−ワイヤ又はビーズなどの既知の位置にある物体上の超音波プローブ（３２）によって得られた反射超音波信号の振幅、
−ドップラー技術を使用して超音波プローブ（３２）によって得られた画像、
−超高感度ドップラー技術を使用して超音波プローブ（３２）によって得られた画像、
−参照構造地図、
の要素の少なくとも１つに左右される、請求項７に記載の検出装置。
【請求項９】
着脱式の撮像デバイス（１２２）が、連続信号を提供するように適合された少なくとも１つの追加的なセンサを更に含み、各々の追加的なセンサが、電極、埋込電極、加速度センサ、被験体（１０）を撮影するように適合されたカメラから選択され、命令が、追加的なセンサからの信号に左右される、請求項７に記載の検出装置。
【請求項１０】
命令が、請求項８及び９に記載の項目の組み合わせに左右される、請求項７に記載の検出装置。
【請求項１１】
着脱式の撮像デバイス（１２２）が、固有のケーブル（１５）を更に含み、ケーブル（１５）が、プラットフォーム（１６）とコントローラとの間に位置する、請求項７〜１０のうちのいずれかに記載の検出装置。
【請求項１２】
移動ステージ（３４）が、内部スペース（２８）内で超音波プローブ（３２）を並進させるように適合された並進ステージである、請求項１〜１１のうちのいずれかに記載の検出装置。
【請求項１３】
移動ステージ（３４）が、内部スペース（２８）内で軸の周りに超音波プローブ（３２）を回転させるように適合された回動ステージである、請求項１〜１１のうちのいずれかに記載の検出装置。
【請求項１４】
被験体（１０）の脳の少なくとも２つの部位を撮像する方法であり、脳の第１の部位が脳の第２の部位とは異なる、方法であって、方法が、
−ホルダ（１２１）であって、
−被験体（１０）の頭蓋骨の一部の上に固定、特にセメント固定される、フレーム（１４）であって、超音波に対して透過である内部分（１８）の範囲を定めるフレーム（１４）
を含むホルダ（１２１）を準備する段階と、
−被験体（１０）の頭蓋骨の一部にフレーム（１４）を固定、特にセメント固定する段階と、
−着脱式の撮像デバイス（１２２）であって、
−内部スペース（２８）の範囲を定めるプラットフォーム（１６）であり、内部スペース（２８）が内部分（１８）に面する、プラットフォーム（１６）と、
−ホルダ（１２１）にプラットフォーム（１６）を一時的に固定及び係止するように適合された固定要素（３０）と、
−１つ以上のトランスデューサアレイを含む超音波プローブ（３２）と、
−超音波プローブ（３２）を保持しかつ内部スペース（２８）内で超音波プローブ（３２）を移動させるように適合される移動ステージ（３４）と、
を含む着脱式の撮像デバイス（１２２）を準備する段階と、
−固定要素（３０）によりホルダ（１２１）にプラットフォーム（１６）を固定する段階と、
−超音波プローブ（３２）により脳の第１の部位を撮像する段階と、
−移動ステージ（３４）により超音波プローブ（３２）を移動させる段階と、
−超音波プローブ（３２）により脳の第２の部位を撮像する段階と、
を含む方法。
【請求項１５】
被験体（１０）が覚醒している、請求項１４に記載の撮像する方法。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
涙産生誘導装置であって、近端から遠端へ延びていて、被験者の涙点を介して被験者の涙小管に挿入され且つ被験者の涙小管に直接接触するように配置される本体と、
前記本体の前記近端と前記遠端の間に位置決めされ、外部コントローラに無線カップリングされることで、エネルギーを供給されるように配置される複数の電極とを備え、
少なくとも１つの電極は、前記本体に沿って設置され且つ戻り経路を含む参照電極を含む涙産生誘導装置。
【請求項２】
さらに、前記本体の前記近端に隣接して前記本体の前記近端の直径より大きい直径のフェイスプレートを備える請求項１に記載の装置。
【請求項３】
さらに、涙の生化学的特性、前記本体の配置及び刺激伝達機構の操作のうちの１つ又は複数を検知するように配置されるセンサを備える請求項１に記載の装置。
【請求項４】
さらに、少なくとも一部の電極に無線でカップリングされて、エネルギーを伝達して前記被験者の涙管系を刺激するための外部コントローラを備える請求項１に記載の装置。
【請求項５】
前記本体は、前記本体の内腔を貫通する請求項１に記載の装置。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
複数の媒体層を含むカラー三次元物体を形成する方法であり、前記複数の媒体層の各媒体層を加工して前記物体の層を画定する加工ステップを含み、前記加工ステップは、
前記媒体層を、前記物体の前の層又は基部層に接着するステップと、
前記媒体層を切断して前記物体の前記層の輪郭を画定するステップと、
前記媒体層を印刷して前記物体の前記層の色を定めるステップと、
接着剤を塗布するステップと、
新たな媒体層を前の層に接着するステップと、を含み、
前記物体が形成されるまで、連続する各層の加工を繰り返し、透明性トリートメント調合物を適用して、前記物体の１つ以上の層の選択される部分を透明にするステップを更に含み、
透明性トリートメント材料が媒体層のある部分に吸収されるときに、前記ある部分は透明になり、
前記トリートメント調合物は屈折率マッチング材料を含む、方法。
【請求項２】
透明性トリートメント調合物は、
（ｉ）乾性油、調理油、ナッツ、柑橘類、医療油等のトリグリセリド系油、
（ｉｉ）アクリル及びポリウレタン等の合成ポリマー系材料、
（ｉｉｉ）純粋な液体状態の又は乳剤としての、液状シリコーンゴム及び樹脂系、アクリル、ポリウレタン及びエポキシ系の１つ以上を含むポリマー系
（ｉｖ）湿潤液に分散した、ポリマー系の乳剤
（ｖ）可能な限りセルロースの屈折率（５９２ナノメートルで１．５５）に近い屈折率を有する材料、
（ｖｉ）高分子量の材料、
（ｖｉｉ）アクリル、ポリウレタン及びエポキシ樹脂等の合成ポリマー系材料
（ｖｉｉｉ）エポキシ樹脂及び別に供給される硬化材料又は架橋材料
の１つ以上を含む、請求項１に記載の方法。
【請求項３】
どの浸透深さまで前記透明性トリートメント材料が前記物体に吸収されるかを制御するステップを更に含む、請求項１又は２に記載の方法。
【請求項４】
必要に応じて、浸透深さを制御して、完成したビルドモデル物体の白色地点を維持し、ＣＭＹＫ色を提供する、請求項１〜３のいずれかに記載の方法。
【請求項５】
浸透深さを、紫外線キュアリング溶液又は紫外線系の樹脂等の速硬化性の溶液を使用するステップと硬化するステップとによって制御する、請求項１〜４のいずれかに記載の方法。
【請求項６】
前記紫外線系の樹脂が揮発性有機化合物（VOC's）を含まない、請求項５に記載の方法。
【請求項７】
バリア又は境界層を生成して、前記透明性トリートメント調合物の浸透を制限するステップを更に含み、境界層を生成するステップは、反射材料又はバリア材料を塗布するステップを含む、請求項１〜６のいずれかに記載の方法。
【請求項８】
前記反射材料又はバリア材料を前記物体の層を画定する各媒体層に塗布する、請求項７に記載の方法。
【請求項９】
前記バリア材料を、
（ｉ）前記バリア材料がエポキシ樹脂を含むこと、
（ｉｉ）前記バリア材料が架橋剤を更に含むこと、
の１つ以上に応じて準備する、請求項７又は８に記載の方法。
【請求項１０】
前記媒体層は紙からなり、又は前記媒体層は紙ではない多孔性の材料からなり、及び
前記媒体層の前記多孔性の材料が、前記透明性トリートメント調合物又は乳剤に対する骨格としての機能を果たし、前記透明性トリートメント調合物の特性を持ち得るように構成される、請求項１〜９のいずれかに記載の方法。
【請求項１１】
前記物体又は前記物体の媒体層の特性を制御して、前記物体への乳剤の吸収性を制御し、又は前記物体への前記乳剤の浸透を制御する、請求項１〜１０のいずれかに記載の方法。
【請求項１２】
紙材料からなる複数の層を含む、三次元物体を処理して前記物体の１つ以上の層の選択される部分を少なくとも部分的に透明にする方法であり、
前記方法は、前記三次元物体及び透明性トリートメント乳剤を提供するステップと、
前記透明性トリートメント乳剤を前記物体の少なくとも選択される部分に塗布するステップと、を含み、
前記透明性トリートメント乳剤は、前記物体の１つ以上の媒体層の所定の深さまで浸透するように構成され、
前記透明性トリートメント乳剤が媒体層に吸収されるときに、前記媒体層又は前記媒体層の一部は透明になり、
透明性トリートメント乳剤は屈折率マッチング材料を含み、
どの浸透深さまで透明性トリートメント乳剤が前記物体に吸収されるかを制御するステップを更に含み、
必要に応じて、浸透深さを制御して、完成したビルドモデル物体の白色地点を維持し、ＣＭＹＫ色を提供する、方法。
【請求項１３】
反射材料又はバリア材料を塗布することによって、バリア又は境界層を生成して、透明性トリートメント材料の浸透を制限するステップを更に含み、前記反射材料又はバリア材料は選択される層又は層の選択される部分に塗布される、請求項１２に記載の方法。
【請求項１４】
前記バリア材料がエポキシ樹脂及び架橋剤を含む、請求項１３に記載の方法。
【請求項１５】
請求項１〜１４のいずれかに記載されるような薄膜積層法プロセスで製造された三次元物体であり、層が接着剤によって接着された多孔性の材料からなり、前記物体が、前記多孔性の材料に吸収されて前記物体又は前記物体の一部を透明にし得る、透明性トリートメント材料を使用して処理された、三次元物体。
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
（ａ）スルホン酸ポリマーの銀イオノマーを含む分離層および  （ｂ）少なくとも２５０×１０−６ｃｍ3（ＳＴＰ）／ｃｍ２／ｓ／ｃｍＨｇのプロピレンに対する透過性を有する１種以上のフッ化ポリマーを含む、高拡散率ガター層を含み、前記高拡散率ガター層は前記分離層上に積層されている、 アルカン類からのアルケン類の分離のための薄膜複合膜であって、 当該薄膜複合膜は、前記分離層の固有のアルカンに対するアルケンの選択性よりも高い、アルカンに対するアルケンの選択性を有する、薄膜複合膜。
【請求項２】
前記銀イオノマーは、フッ化ポリマーである、請求項１に記載の薄膜複合膜。
【請求項３】
前記高拡散率ガター層の前記１種以上のフッ化ポリマーは、炭素フッ素基および炭素−水素基の合計の５０％以上が炭素フッ素基であるフッ化ポリマーを含む、請求項１に記載の薄膜複合膜。
【請求項４】
前記高拡散率ガター層の前記１種以上のフッ化ポリマーは、ペルフルオロポリマーを含む、請求項１に記載の薄膜複合膜。
【請求項５】
前記高拡散率ガター層の前記１種以上のフッ化ポリマーは、ペルフルオロ（２，２−トリフルオロメチル−１，３−ジオキソール）のコポリマーを含む、請求項１に記載の薄膜複合膜。
【請求項６】
前記高拡散率ガター層は、０．１〜１．０μｍの厚みを有する、請求項１に記載の薄膜複合膜。
【請求項７】
前記高拡散率ガター層に積層される多孔層支持体を更に含む、請求項１に記載の薄膜複合膜。
【請求項８】
アルカン類からのアルケン類の分離のための膜加工であって、薄膜複合膜を使用することを含み、前記薄膜複合膜は  （ａ）スルホン酸ポリマーの銀イオノマーを含む分離層および  （ｂ）少なくとも２５０×１０−６ｃｍ3（ＳＴＰ）／ｃｍ２／ｓ／ｃｍＨｇのプロピレンに対する透過性を有する１種以上のフッ化ポリマーを含む、高拡散率ガター層を含み、前記高拡散率ガター層は前記分離層上に積層され、  前記薄膜複合膜は、前記分離層の固有のアルカンに対するアルケンの選択性よりも高い、アルカンに対するアルケンの選択性を有する、膜加工。
【請求項９】
前記銀イオノマーは、フッ化ポリマーである、請求項８に記載の膜加工。
【請求項１０】
前記高拡散率ガター層に積層される多孔層支持体を更に含む、請求項８に記載の膜加工。
【請求項１１】
前記高拡散率ガター層の前記１種以上のフッ化ポリマーは、炭素フッ素基および炭素−水素基の合計の５０％以上が炭素フッ素基であるフッ化ポリマーを含む、請求項８に記載の膜加工。
【請求項１２】
前記高拡散率ガター層の前記１種以上のフッ化ポリマーは、ペルフルオロポリマーを含む、請求項８に記載の膜加工。
【請求項１３】
前記高拡散率ガター層の前記１種以上のフッ化ポリマーは、ペルフルオロ（２，２−トリフルオロメチル−１，３−ジオキソール）のコポリマーを含む、請求項８に記載の膜加工。
【請求項１４】
前記高拡散率ガター層は、０．１〜１．０μｍの厚みを有する、請求項８に記載の膜加工。
【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
物品を製造する装置であって、
前記装置が、
造形チャンバ内の造形部と、
前記造形部が曝される状態を制御する環境システムと、
ポリイミド前駆物質を前記造形部に供給する前駆物質供給装置と、
前記ポリイミド前駆物質の少なくとも一部の重合を選択的に開始してポリイミドを含む構造物とするため、集束したエネルギビームを前記造形部上に照射するレーザデバイス、および、前記造形部の選択した標的位置に前記集束したエネルギビームを照準するレーザアクチュエータを含む、レーザ装置と、
を含み、
前記環境システムが、前記ポリイミド前駆物質が重合する前記造形チャンバ内の圧力を制御する圧力制御装置を含むことを特徴とする装置。
【請求項２】
前記ポリイミド前駆物質が、ポリイミド前駆物質粉末およびポリイミド前駆物質ゲルの少なくとも１つを含むことを特徴とする、請求項１に記載の装置。
【請求項３】
前記ポリイミド前駆物質が、二無水物前駆物質化合物、ジアミン前駆物質化合物、および二無水物前駆物質化合物とジアミン前駆物質化合物との反応生成物の、少なくとも１つを含むことを特徴とする、請求項１または２のいずれか１項に記載の装置。
【請求項４】
前記ポリイミド前駆物質が、
二無水物前駆物質化合物とジアミン前駆物質化合物との反応生成物である粉末粒子、および、
二無水物前駆物質化合物粒子とジアミン前駆物質化合物粒子との乾燥粉末混合物、
の、少なくとも１つを含むポリイミド前駆物質粉末を含むことを特徴とする、請求項１〜３のいずれか１項に記載の装置。
【請求項５】
前記反応生成物を、
第二級または第三級アミンの存在下で、前記二無水物前駆物質化合物と前記ジアミン前駆物質化合物とを水に溶解して前記ポリイミド前駆物質を生成する工程、
前記二無水物前駆物質化合物と前記ジアミン前駆物質化合物とを脂肪族アルコールに溶解してアルコール含有ポリイミド前駆物質を生成し、必要に応じて、第二級または第三級アミンを前記アルコール含有ポリイミド前駆物質に加えて、前記ポリイミド前駆物質を生成する工程、あるいは、
前記二無水物前駆物質化合物と前記ジアミン前駆物質化合物とを、水と脂肪族アルコールとの混合物に溶解して前記ポリイミド前駆物質を生成する工程、
の１つを含む方法で生成することを特徴とする、請求項３または４のいずれか１項に記載の装置。
【請求項６】
前記二無水物前駆物質化合物と前記ジアミン前駆物質化合物とを、等モル比で溶解することを特徴とする、請求項５に記載の装置。
【請求項７】
前記レーザ装置が、粉末粒子を溶融および融合するよう構成されていることを特徴とする、請求項４〜６のいずれか１項に記載の装置。
【請求項８】
溶媒を前記造形部上に選択的に配置して、前記ポリイミド前駆物質粉末の少なくとも選択した部分を少なくとも部分的に溶解する、溶媒供給装置を更に含むことを特徴とする、請求項４〜７のいずれか１項に記載の装置。
【請求項９】
前記レーザアクチュエータが、前記溶媒を選択的に配置した位置に前記集束エネルギビームを向けて、少なくとも部分的に溶解したポリイミド前駆物質粉末を重合させることを特徴とする、請求項８に記載の装置。
【請求項１０】
触媒を前記造形部に選択的に配置する触媒供給装置を更に含み、前記触媒が、前記ポリイミド前駆物質の重合を開始または加速することを特徴とする、請求項３〜９のいずれか１項に記載の装置。
【請求項１１】
前記ポリイミド前駆物質が、二無水物前駆物質化合物およびジアミン前駆物質化合物の第１のものを含み、前記装置が、溶媒に加えた前記二無水物前駆物質化合物および前記ジアミン前駆物質化合物の第２のものを含む溶液を、前記造形部上に選択的に配置して、前記溶液と、前記二無水物前駆物質化合物および前記ジアミン前駆物質化合物の第１のものとを接触させる、第２前駆物質供給装置を更に含むことを特徴とする、請求項１〜１０のいずれか１項に記載の装置。
【請求項１２】
物品を製造する方法であって、
前記方法が、
ポリイミド前駆物質を造形チャンバ内の造形部に供給する工程と、
前記造形部が曝される状態を環境システムで制御し、前記環境システムが、前記ポリイミド前駆物質が重合する前記造形チャンバ内の圧力を制御する圧力制御装置を含んでいる工程と、
集束エネルギビームを前記造形部に選択的に向け、前記ポリイミド前駆物質の少なくとも一部の重合を選択的に開始してポリイミドを含む構造物とする工程と、
を含むことを特徴とする方法。
【請求項１３】
前記ポリイミド前駆物質が、粉末およびゲルの少なくとも１つを含むことを特徴とする、請求項１２に記載の方法。
【請求項１４】
前記ポリイミド前駆物質が、二無水物前駆物質化合物、ジアミン前駆物質化合物、および二無水物前駆物質化合物とジアミン前駆物質化合物との反応生成物の、少なくとも１つを含むことを特徴とする、請求項１２または１３のいずれか１項に記載の方法。
【請求項１５】
前記ポリイミド前駆物質が、
二無水物前駆物質化合物とジアミン前駆物質化合物との反応生成物である粒子、および、
二無水物前駆物質化合物粒子とジアミン前駆物質化合物粒子との乾燥粉末混合物、
の、少なくとも１つを含む粉末を含むことを特徴とする、請求項１２〜１４のいずれか１項に記載の方法。
【請求項１６】
前記反応生成物を、
第二級または第三級アミンの存在下で、前記二無水物前駆物質化合物と前記ジアミン前駆物質化合物とを水に溶解して前記ポリイミド前駆物質を生成する工程、
前記二無水物前駆物質化合物と前記ジアミン前駆物質化合物とを脂肪族アルコールに溶解してアルコール含有ポリイミド前駆物質を生成し、必要に応じて、第二級または第三級アミンを前記アルコール含有ポリイミド前駆物質に加えて、前記ポリイミド前駆物質を生成する工程、あるいは、
前記二無水物前駆物質化合物と前記ジアミン前駆物質化合物とを、水と脂肪族アルコールとの混合物に溶解して前記ポリイミド前駆物質を生成する工程、
の１つを含む方法で生成することを特徴とする、請求項１４または１５のいずれか１項に記載の方法。
【請求項１７】
前記二無水物前駆物質化合物と前記ジアミン前駆物質化合物とを、等モル比で溶解することを特徴とする、請求項１４〜１６のいずれか１項に記載の方法。
【請求項１８】
溶媒を前記造形部上に選択的に配置して、前記粉末混合物の少なくとも一部を少なくとも部分的に溶解する工程を更に含むことを特徴とする、請求項１２〜１７のいずれか１項に記載の方法。
【請求項１９】
触媒を前記造形部に選択的に配置する工程を更に含み、前記触媒が、前記ポリイミド前駆物質の重合を開始または加速することを特徴とする、請求項１２〜１８のいずれか１項に記載の方法。
【請求項２０】
前記ポリイミド前駆物質が、二無水物前駆物質化合物およびジアミン前駆物質化合物の第１のものを含み、前記方法が、溶媒に加えた前記二無水物前駆物質化合物および前記ジアミン前駆物質化合物の第２のものを含む溶液を、前記造形部上に選択的に配置して、前記溶液と、前記二無水物前駆物質化合物および前記ジアミン前駆物質化合物の第１のものとを接触させる工程を更に含むことを特徴とする、請求項１２〜１９のいずれか１項に記載の方法。